(57)【要約】狭くて垂直の一定円錐角度の入射光をスペクトル非選択的光検出器へ通すことのできるレンズプリズム光学装置を含む、小型の平面パネル色較正システム。この較正システムはまた、光検出器によって集められた情報に基づいてディスプレイの輝度を判断するように作動可能なマイクロプロセッサを含む。較正システムに含まれるソフトウエアモジュールは、次に、平面パネルディスプレイを調節するために輝度情報を処理するように作動可能である。【特許請求の範囲】
【請求項１】
狭くて垂直の一定円錐角度の入射光をディスプレイ装置から受光するように作動可能なレンズと、
前記ディスプレイ装置に対する前記レンズの位置に関わりなく、前記入射光の特性を検出するように作動可能な光検出器と、
前記光検出器により検出された前記入射光の特性に応答して前記ディスプレイ装置の輝度値を発生させるように作動可能であり、前記ディスプレイ装置に対して表示パラメータを調節するために前記輝度値を供給するように作動可能であるマイクロプロセッサと、
を含むことを特徴とする、ディスプレイを較正するためのシステム。
【請求項２】
前記レンズは、全反射４５度の鏡の方式で光を通すように作動可能であることを特徴とする請求項１に記載のシステム。
【請求項３】
光が前記光検出器に通される前に光を濾波するように作動可能な色フィルタ、
を更に含むことを特徴とする請求項１に記載のシステム。
【請求項４】
前記色フィルタは、緑スペクトル領域における較正に対して前記入射光を等化するように作動可能であることを特徴とする請求項３に記載のシステム。
【請求項５】
前記光検出器は、スペクトル的に非選択的であることを特徴とする請求項１に記載のシステム。
【請求項６】
前記光検出器は、線形シリコン光検出器であることを特徴とする請求項５に記載のシステム。
【請求項７】
前記ディスプレイ装置上に表示されるように作動可能なグラフィカルユーザインタフェースからの入力を受信するように作動可能であり、前記ディスプレイ装置に付随するホストコンピュータ上にあるソフトウエアアプリケーション、
を更に含むことを特徴とする請求項１に記載のシステム。
【請求項８】
前記レンズを精度に影響を及ぼすことなく前記ディスプレイ上方のある距離に配置するように作動可能なエラストマー性クッション、
を更に含むことを特徴とする請求項１に記載の装置。
【請求項９】
前記光検出器により検出された前記入射光の特性に対してアンチエイリアシング機能を実行するように作動可能なフィルタ回路、
を更に含むことを特徴とする請求項１に記載の装置。
【請求項１０】
前記フィルタ回路は、前記光検出器により検出された前記入射光の特性を安定化させ、その対応する波形を保存するように作動可能であることを特徴とする請求項９に記載の装置。
【請求項１１】
狭くて垂直の一定円錐角度の入射光を形成する手段と、
その光を検出する手段と、
その光の色温度を判断する手段と、
その光の輝度を判断する手段と、
前記色温度及び輝度の判断に従ってディスプレイを調節する手段と、
を含むことを特徴とする、小型の平面パネル色較正システム。
【請求項１２】
前記ディスプレイの緑チャンネルをエミュレートするための手段、
を更に含むことを特徴とする請求項１１に記載のシステム。
【請求項１３】
色感度を形成するための手段と、
適正な輝度信号範囲を設定するための手段と、
を更に含むことを特徴とする請求項１１に記載のシステム。
【請求項１４】
前記入射光の信号範囲を調節するための手段、
を更に含むことを特徴とする請求項１１に記載のシステム。
【請求項１５】
前記光を検出するための手段は、前記ディスプレイからのいかなる距離要件も考慮することなく配置されることを特徴とする請求項１１に記載のシステム。
【請求項１６】
ディスプレイからの入射光をレンズの前面で受光する段階と、
前記入射光を前記レンズの側面を通って通過させる段階と、
前記入射光を光検出器において受光する段階と、
前記光検出器での前記入射光に対応する信号を発生させる段階と、
前記信号をデジタル形式に変換する段階と、
前記信号に付随する輝度を判断する段階と、
前記輝度を処理のためにソフトウエアモジュールに転送する段階と、
を含むことを特徴とする、ディスプレイを較正する方法。
【請求項１７】
前記ディスプレイの緑チャンネルをエミュレートするために前記入射光を濾波する段階、
を更に含むことを特徴とする請求項１６に記載の方法。
【請求項１８】
閾値レベルを超える周波数を除去するために前記信号を濾波する段階、
を更に含むことを特徴とする請求項１６に記載の方法。
【請求項１９】
前記信号の信号範囲を調節する段階、
を更に含むことを特徴とする請求項１６に記載の方法。
【請求項２０】
前記ディスプレイの色温度及び輝度を調節する段階、
を更に含むことを特徴とする請求項１６に記載の方法。
【発明の詳細な説明】
【０００１】
（技術分野）
本発明は、一般的に光検出装置の分野に関し、更に特定すれば平面パネルの色較正システムに関する。
【０００２】
（背景技術）
従来の放射分析又は比色分析センサシステムは、それらに到達する光の輝度レベルの量を測るために、スペクトル選択的又は非選択的な光検出器のいずれかを使用する。そのようなセンサシステムは、陰極線管（ＣＲＴ）ディスプレイを較正するために使用されている。その精度を保証するために、これらのセンサシステムは、センサ素子をディスプレイに接触させた状態で維持するか、又は、ディスプレイから一定の固定した距離を置いて維持する必要がある。そのようなセンサシステムの一般的な実装においては、センサをＣＲＴ画面に強固に接着させるために吸引カップが利用され、これによってあらゆる周囲光をセンサから遮断する付加的な効果が得られる。しかし、液晶ディスプレイ（ＬＣＤ）の場合には、ディスプレイの比色分析は、液晶材料の複屈折とセルギャップ間隔との積であるディスプレイの光路長に部分的に依存している。ＣＲＴのガラスと比べてＬＣＤパネルのガラスは相対的に薄いので、この種類のセンサを取り付けるのに使用される吸引力がセル間隔を変化させ、これがその区域における光の輝度を変えて、そのようなセンサが測定しようとする正にその測定の精度を損なうと思われる。
【０００３】
ＣＲＴの場合とは異なり、ＬＣＤ平面パネルから発せられた光の輝度及び波長の両方は、それらが測定又は収集される角度に応じて変化する。このことは、測定された光のどの部分であってもそれが全体を表すと見なす全ての伝統的な色較正センサに問題を提示する。従って、セルギャップ間隔を変化させず、狭い受光角度でガラス表面に対して直角の輝度情報を収集する、ＬＣＤ装置を精密較正できるセンサシステムを提供することが必要である。
【０００４】
（発明の開示）
以上の説明から、小型の平面パネル色較正システムに対する必要性が生じることが当業者には理解されるであろう。本発明の好ましい一実施形態においては、従来のディスプレイ較正技術に付随した欠点及び問題点を実質的に排除又は大いに低減させる平面パネルディスプレイにおける色を較正するシステムが提供される。
本発明の一実施形態によれば、狭くて垂直の一定な円錐角度の入射光を通すように作動するレンズプリズム光学装置、光検出器、色温度を得るためにディスプレイの輝度を判断するように作動可能なマイクロプロセッサ、及び、このマイクロプロセッサの判断に従ってディスプレイを調節するように作動可能なファームウエアを含む、ディスプレイを較正するためのシステムが提供される。
【０００５】
本発明は、従来のディスプレイ較正技術を凌駕した様々な技術的利点を提供する。例えば、１つの技術的利点は、光検出システムに対して狭く均一な光線を供給するレンズプリズム光学装置を採用することにより、ＬＣＤの精密測定を可能にする。別の技術的利点は、ディスプレイ表面をぎらつかせる可能性がある周囲光の影響をシステムに補償させることにより、較正測定を向上させることである。他の技術的利点は、以下の図面、説明、及び、特許請求の範囲から当業者には容易に確かめられるであろう。
ここで、本発明及びその利点の一層完全な理解のために、添付図面と共に以下の説明が与えられる。添付図面においては、同じ参照符号は、同じ部分を表している。
【０００６】
（発明を実施するための最良の形態）
図１は、平面パネル色較正システム１００を示している。平面パネル色較正システム１００は、センサシステム１０２、背面光液晶モジュール１０４、ホストコンピュータ１０６、液晶モジュール１０４に付随する平面パネルモニタ１０８を含む。典型的には、平面パネルモニタ１０８と液晶モジュール１０４とは、単一のディスプレイ装置の一部である。センサシステム１０２は、液晶モジュール１０４によって発せられる輝度情報を測定し、この輝度情報をビデオ信号ケーブルのＩ２Ｃシリアルインタフェース部分、ＲＳ２３２、又は、ユニバーサルシリアルバス（ＵＳＢ）接続１０９を通じてホストコンピュータ１０６内にある較正ソフトウエアモジュール１７２に提供する。ホストコンピュータ１０６は、センサシステム１０２から輝度情報を受信するためのデジタルインタフェースポート１１２と、命令を平面パネルモニタ１０８へ中継するためのシリアルポート１１４又はグラフィックスインタフェースポート１１６とを含む。ホストコンピュータ１０６内の較正ソフトウエアアプリケーションは、次に、センサシステム１０２から受信した輝度情報に基づいて計算された色調節値を、平面パネルモニタ１０８に供給する。平面パネルモニタ１０８は、ホストコンピュータ１０６内の較正ソフトウエアアプリケーションからの色補正情報を受信するための計数盤１１８を含む。平面パネルモニタ１０８はまた、液晶モジュール１０４の一対の上部（赤）ランプ１５０と一対の下部（青）ランプ１５２とを駆動させるためのインバータ装置１２０を含む。ＬＣＤ制御盤１２２は、液晶モジュール１０４の制御ゲートドライバ１５４とソースドライバ１５６とに信号を供給する。表示画面（ＯＳＤ）盤１２６は、平面パネルモニタ１０８を手動調節する機械的な押しボタン制御により駆動されるグラフィカルユーザインタフェースを提供する。ＯＳＤ盤１２６はまた、平面パネルモニタ１０８に適切な視覚制御信号を供給する視覚制御盤を含む。
【０００７】
平面パネルモニタ１０８の計数盤１１８は、独立したバスを通じていくつかの構成要素を管理するために、ホストコンピュータ１０６からのインター・インテグレーテッド・コントロール（Ｉ２Ｃ）入力インタフェース１３２を含む。これらの構成要素としては、色管理機能の実行制御を処理する「ＣｏｌｏｒＬｏｃｋ」マイクロコントローラ１４０、Ｉ２Ｃインタフェース１３０を通じてアクセスされる背面光インバータ１２０、特定の液晶モジュール１０４のための比色分析プロフィール情報を含む拡張ディスプレイ識別（ＥＤＩＤ）ＥＥＰＲＯＭ（電気的消去可能プログラマブル読み出し専用メモリ）１４２が含まれる。遷移最小化微分信号（ＴＭＤＳ）受信器１３４は、ホストコンピュータ１０６内にあるグラフィックスインタフェースポート１１６からビデオ情報を受信し、それを入力グラフィックを液晶モジュール１０４と互換性のある解像度フォーマットに適応させる「ｇｍＺ３」計数チップ１４４へ転送する。フィールドプログラム可能ゲートアレー（ＦＰＧＡ）装置１４６は、液晶モジュール１０４の様々な機能のメニュー駆動式設定を提供するために、ＥＥＰＲＯＭ装置１４２を通じてＯＳＤ盤１２６から送られたユーザ入力を相補型ＭＯＳ（ＣＭＯＳ）装置１４８を通じて主ディスプレイデータ経路上に多重化する。ＦＰＧＡ装置１４６はまた、Ｉ２Ｃインタフェース１３０を通じてインバータ１２０を制御することにより、ＯＳＤパネル１４２からの背面光の手動減光を制御する。一実施形態においては、制御データと制御指令とは、ホストコンピュータ１０６内のシリアル出力装置１１４からレベルシフター・シリアルポート１３６内に送られる。この実施形態においては、シリアルポート１３６は、ＲＳ２３２であるが、ＵＳＢタイプであってもよい。外部プラグ１２４のために、１２Ｖのシステム電力が入力コネクタ１３８を通じて供給される。
【０００８】
平面パネルモニタ１０８は、スケーリングとして知られる作動により非ネイティブ解像度をサポートする。スケーリングは、入力グラフィックモードを、ＶＥＳＡタイミング仕様の厳重なタイミング要求を満たす解像度に適応させる。平面パネルモニタ１０８は、表示された画像をユーザのために自動調節する能力を有する。一般に、組込式計数チップ１４４は、ＴＭＤＳ受信器１３４を通じてホストグラフィックスカード１１６により供給される入力タイミングを解析する。これら広範なスケーリング及び画像色調節能力は、直観的なユーザインタフェースを必要とする。ディスプレイ製品上では、画面上制御は通常の画像上に重なって現れる。本発明の実施形態における実行的色制御装置は、８０５１準拠マイクロコントローラ１４０内にある。マイクロコントローラ１４０は、柔軟性のある汎用入出力装置、内蔵プログラムメモリ、ＲＡＭ、及び、他の周辺装置類を提供する８ビット８０５１アーキテクチャを有する。低コストのマイクロコントローラ１４０はまた、単一の較正技法「ＣｏｌｏｒＬｏｃｋ」に対しても適している。ＦＰＧＡ装置１４６は、ＯＳＤ盤１２６のデータを主ディスプレイデータ経路上に多重化する。ＦＰＧＡ装置１４６はまた、このシステムのために背面光減光を制御する。この制御は、マイクロコントローラ１４０とのＳＰＩバス通信により達成される。含まれている「ＥＤＩＤ  ＥＥＰＲＯＭ」１４２を通じて、マイクロコントローラ１４０は、この装置のＩ２Ｃマスター読出しを実行し、ＯＳＤ盤１２６により提供された情報画面上に表示するためのパネルの一連番号を得ることができる。いくつかのパラメータは、汎用メモリページに記憶され、他の設定値は、モード指定タイミングメモリページ内に保管される。
【０００９】
図２は、センサシステム１０２の構成要素を示している。ハンガー２００は、光検出器２１０を背面光液晶モジュール１０４の表面近傍に配置するように作動可能である。好ましい実施形態においては、ハンガー２００は、ＡＢＳプラスチック又はこれと同様に軽量で耐久性のある他の任意の材料で構成される。ハンガー２００にはハウジング２０２が取り付けられる。ハウジング２０２は小型であるが、光検出器２１０を収納するのに十分な寸法である。センサシステム１０２はまた、エラストマー性又は発泡性クッション２１２、基板２１４に固着された様々な電気回路構成要素、色フィルタ２１６、及び、光の通過を許すように作動可能なレンズ２０８を含む。
【００１０】
光検出器２１０は、線形シリコン光検出器で構成され、その代表的な種類は、バー・ブラウン製の「ＯＰＴ１０１Ｐ」フォトダイオードである。「ＯＰＴ１０１Ｐ」は、＋２．７Ｖから＋３６Ｖで作動し、６５０ｎｍで０．４５Ａ／Ｗの高い応答性を有し、１２０Ａの零入力電流を有する。光検出器２１０は、スペクトル非選択的であり、従って比色計でないことが好ましい。しかし、液晶モジュール１０４で作られた平面パネルは、その光出力側に赤、緑、及び、青色フィルタを有するので、光検出器２１０は、比色計として効果的に機能することができる。光検出器２１０は、その輝度、色温度、及び、ガンマプロフィールを設定することによって液晶モジュール１０４を較正するために、ホストコンピュータ１０６内にあるアプリケーションからのソフトウエア命令に従い、平面パネルモニタ１０８内にあるマイクロコントローラ１４０と共に働く。光強度が増すにつれてその出力電圧が直線的に増大するチップ上のトランスインピーダンス増幅器とバイアス回路とを備えた光検出器２１０は、漏れ電流、ノイズ捕捉、及び、利得ピーキングからの誤差を引き起こす可能性のある浮遊静電容量を排除する。光検出器２１０は、優れた直線性及び低い暗電流の長所を生かすために、光伝導モードで作動させるのが好ましい。光検出器２１０は、人の目の光化学応答と相関関係を有する。センサシステム１０２は、約２３５計数を中心に±３計数の分散つまり約１σを有する信号レベルでその較正機能を実行するように設計される。これは、人間の目で検知可能な３次元色空間における最小変化である１Ｅ＊の誤差に等しい、２倍の保護周波数帯又は±７計数の許容分散をもたらす。
【００１１】
好ましい実施形態においては、線形シリコン光検出器の特性は、電磁スペクトルの４００ｎｍ（青）部分において低感度部分を含むが、７００ｎｍから９００ｎｍ（赤から赤外線）の部分においては比較的高い（約６倍）応答性を含む。センサ素子２１０の感度を均一化するために、センサ素子２１０とレンズ２０８との間に色フィルタ２１６が置かれる。赤、緑、及び、青の全てのチャンネルに対して比色分析較正を行うのに必要な速度と精度とを達成するために、液晶モジュール１０４の緑原色の緑チャンネルをエミュレートすべく狭帯域緑フィルタを使用することができる。本発明の好ましい実施形態においては、色フィルタ２１６は、ＧＡＭ製の「Ｌｉｇｈｔ  Ｓｔｅｅｌ  Ｂｌｕｅ  ＃７２０」シアンフィルタで構成される。色フィルタ２１６は、信号を均一化して光検出器２１０の性能を等しくするように作動可能であるから、光検出器２１０が緑スペクトル領域で作動するように較正された時、赤及び青領域でも同様に正しい感度レベルが維持される。ＧＡＭ製の「Ｌｉｇｈｔ  Ｓｔｅｅｌ  Ｂｌｕｅ  ＃７２０」シアンフィルタ２１６は、「ＯＰＴ１０１」の透過特性をほとんど完全に補い、両者は５８０ｎｍで０．３５の中間点相対応答値を有する。その結果、４４０ｎｍから６４０ｎｍまで非常に均一な出力応答が得られる。仮に信号強度を更に減衰させる必要がある場合、多層の色フィルタ２１６を利用することができる。例えば、２つの青／緑フィルタを使用して、一方は色感度のために、他方は適切な輝度信号範囲を設定するために用いてもよい。
【００１２】
線形シリコン光検出器２１０は、色フィルタ２１６を通過した後に光検出器に到達するあらゆる波長に応じて応答することになる。色較正のために最も正確な測定値を得るために、平面パネル液晶モジュール１０４からの光の測定角度は、小さく保たれるべきである。センサシステム１０２は、狭くて均一な円錐角度の入射光を光検出器２１０に入射させるように作動する。この狭くて均一な円錐角度は、液晶モジュール１０４の表面から一定又は臨界距離を維持する必要なく、センサシステム１０２が液晶モジュール１０４を正確に測定することを可能にする。それはまた、液晶モジュール１０４の前面上のベイリンググレアの量を測定するためにセンサを非接触モードで使用することを可能にするので、ソフトウエアアプリケーションにより画像に対するベイリンググレアの影響を補正することができる。好ましい実施形態においては、レンズ２０８は、中実の光学レンズシステムであって、全反射（ＴＩＲ）４５°鏡の方式で光が透過する前方球面から成っている。レンズ２０８を通過する光は曲げられ、レンズ２０８の側面と色フィルタ２１６とを通過して光検出器２１０に達する。好ましい実施形態においては、光検出器２１０は、レンズ２０８の無限焦点に置かれる。一実施形態においては、レンズ２０８は、ポリメチルメタクリレート（ＰＭＭＡ）プラスチック材料で射出成形され、１．４８９の屈折率を有する。
【００１３】
レンズ２０８をこのように実装することにより、狭くて放射測定的に一定の入射光の測定形状が光検出器２１０に対して呈示される。レンズ２０８は、液晶モジュール１０４の前面に対するセンサシステム１０２の距離、又は、それに対するセンサシステムの姿勢に拘わらず、プラス又はマイナス２度（±２°）の有効視角を維持するために長い焦点距離をもたらし、比較的小さな頭部構成を有する。この設計によって可能となるいくつかの利点には、角度依存性が取り除かれたことにより、センサシステム１０２による液晶モジュール１０４の一層正確で強化された測定を可能にすることが含まれる。一定な円錐角度が常にサンプリングされるので、光検出器２１０と液晶モジュール１０４との間の距離は最早重大ではない。好ましい実施形態においては、測定精度に影響を及ぼす可能性がある周辺光を遮断するために、エラストマー性クッション又は発泡性クッション２１２がセンサシステム１０２内に含まれる。クッション２１２は、液晶モジュールの固定を乱す可能性がある剪断力とセルギャップ間隔の変化とを減少させるために、ハウジング２０２の接触圧をセンサシステム１０２が向けられた測定点から出て離す方向に一様に分散させる。較正作業の後、周辺光により生じたベイリンググレアの量を測定するために、センサシステム１０２は、非接触モードで使用することができる。このことは、コンテント作成者と出版者又は印刷者とがいる周辺光環境が大きく異なる場合に、デジタル的に作成されたコンテントに対する画像校正作業において特に有用である。センサシステム１０２はまた、接触測定値を得ることが物理的に困難であり得る大きなビデオ壁の個々の部分を較正するのにも非接触モードで作動可能である。
【００１４】
薄膜トランジスタ（ＴＦＴ）ＬＣＤのためのアドレス指定処理中に、信号電圧は、ソース電極に印加され、ドレイン電極を通じて液晶層とコンデンサとに送信される。このコンデンサの機能は、その電荷を残りのフレームサイクルの間を通じて消散することであるが、それでもなお電荷のマグニチュードの１０％から１５％程度の減衰がある。その結果、１サイクル中のピクセルの伝達レベル（又はグレースケールレベル、又は「色」）に僅かな不均一性が生じる。他の種類の比色分析装置において「ノイズ」と解釈される可能性があるのは、この不安定性、つまり「フレーム・フリッカー」である。参考までに、フレームサイクルのより大きな部分に対してピクセルの発光に１００％の減衰があるＣＲＴにおいては、この影響ははるかに大きな問題である。
【００１５】
図３は、基板２１４の電子装置の概略回路図を示している。これらの電子装置には、マイクロコンピュータ３００、ＲＳ２３２又はＵＢＳポート３０４、アナログ／デジタル変換器３２０、電圧調整器３０６及び３０８、フィルタ回路３０２、及び、光検出器２１０が含まれる。マイクロコンピュータ３００は、好ましくは、８ビット幅のデータ経路、及び、光検出器２１０からの信号と光検出器２１０への指令とを処理する１４ビット幅の命令を有する。アナログ／デジタル変換器３２０は、好ましくは、４チャンネル８ビットで実装され、０Ｖから５Ｖのアナログ信号をフィルタ回路３０２からＲＳ２３２又はＵＢＳポートを通じてマイクロコントローラ１４０へ、更にホストコンピュータ１０６へ送る。マイクロコンピュータ３００は、ホストコンピュータ、パネルコンピュータ、及び、それ自体の間の通過経路として作用することができる。
【００１６】
アナログ／デジタル（Ａ／Ｄ）変換器３２０のサンプリング速度を超える周波数を有する信号からサンプリングを行う全てのデジタルサンプリングシステムに関して、誤差は固有のものである。この「エイリアシング」現象は、濾波されないままで残された場合、信号を低周波歪みとして現す可能性があり、事後取得処理によっては除去できないものである。アンチエイリアシング機能を実行して信号精度を確保するために、デジタル化処理に先立って、光検出器２１０からの信号にフィルタ回路３０２が適用される。センサシステム１０２の安定性及び精度を最大にするために、基板２１４の電気回路デザインは、フィルタ回路３０２内に様々な素子を組込んでいる。活性ローパスネットワーク「ベッセル」フィルタを形成するために、２つの演算増幅器（オペアンプ）３１０及び３１２と、いくつかの抵抗器及びコンデンサとが使用される。フィードバックループは２つの利得段を含み、これらの利得段は、最小限の位相歪みでカットオフが鋭く、設定時間が短くて除去率が非常に高くなるように、フィルタ回路３０２内に戻るように経路指定される。このことは、フィルタ回路３０２が光検出器２１０からの信号を安定化し、液晶モジュール１０４内のいかなるフリッカーに対しても効果的に処理することを可能にする。フィルタ回路３０２により提供される４極「ベッセル」フィルタは、アナログ／デジタルサンプリング速度を超える周波数を有する信号を除去することにより誤差を排除する。フィルタ回路３０２は、単調に減少するマグニチュード応答性を有し、濾波されている信号の波形を保存するために、全帯域幅に亘ってほとんど一定の群遅延により特徴付けられる。環境の変化及びエージングに対して鈍感なように、フィルタ回路３０２は、好ましくは６０Ｈｚで８０ｄｂのカットオフを有する。
【００１７】
好ましい実施形態においては、レール・ツー・レールの入力及び出力を有する高い帯域幅対消費電力比に特徴がある大ダイナミックレンジ微小電力デュアル演算増幅器３１０及び３１２が使用される。演算増幅器３１０及び３１２は、２００ｋＨｚの利得／帯域幅積を達成することができ、いかなる容量性負荷を駆動している時でも単一利得安定であり、ミッドスイング共通モード拒否劣化又はクロスオーバー非線形性を被らない。信号範囲を微調整するための単一巻回ポテンショメータ３１６と直列抵抗器３１４とは、演算増幅器３１０の負入力及び出力の間に置かれ、別の抵抗器３１８は、演算増幅器３１０の負入力及びアースの間に置かれる。これらの素子は、それら全体として、以下のような方法で光検出器２１０からアナログ／デジタル変換器３２０への信号範囲を制御する。つまり、抵抗器３１４を抵抗器３１８で割って１を加えたものは「最小利得」を設定し、他方、（ポテンショメータ３１６に抵抗器３１４を加えたもの）に抵抗器３１８を掛けて１を加えたものは「最大利得」を設定する。この方法により、１０，０００デシベル（ｄｂ）以下の信号対ノイズ比と同等な１７ビットの減衰で、広い周波数範囲に亘って光検出器２１０を較正することができる。
【００１８】
平面パネル液晶モジュール１０４は、典型的には、それぞれ異なるスペクトル出力を有する光源１（赤）及び光源２（青）として識別される二組の色ランプで照らされる。これらの各光源からの光は、液晶モジュール１０４内の赤吸収フィルタ、緑吸収フィルタ、及び、青吸収フィルタにより濾波される。光源１からの照明は、約３，６５０Ｋの相関色温度を有する白点（赤＝緑＝赤＝２５５）を作り出す。光源２からの照明は、約１２，３００Ｋの色温度を有する白点を作り出す。センサシステム１０２は、各光源の強度を調節することにより、画面輝度及び色温度の両方を独立的に設定することを可能にする。液晶モジュール１０４の白点は、理論的には３，６００Ｋから１２，０００Ｋまでの色温度範囲に設定することができる。「昼光」白色光源のこの限定された範囲に亘って、色度座標と共に直線的に変化する相関色温度の逆数のベクトル表現が判断される。デュアル原色モニタの較正及びセットアップは、非常に安定な色度を有する光源に対して単純化することができる。各光源の出力は、その色度が安定である場合には、絶対である必要はない。そのような安定性は、バンドギャップエネルギが最も安定な緑チャンネルに対して較正される現在のセンサデザインの使用を可能にする。
【００１９】
図４は、クロスプラットフォームソリューションの実施形態におけるセンサシステム１０２に対する様々なハードウエア及びソフトウエア構成要素の関係を示している。較正ソフトウエアモジュール１７２は、ホストコンピュータ１０６内にあり、ビデオインタフェースケーブル１８３を通じて平面パネルモニタ１０８のグラフィックスカード１３４に接続され、プラットフォームとは独立している。較正ソフトウエアモジュール１７２は、較正作動で使用される一連のグレースケール・スプラッシュ画面１７１の生成を開始するようにユーザを促すために、平面パネルモニタ１０８内の液晶モジュール１０４にグラフィカルユーザインタフェース１７０を提供する。較正ソフトウエアモジュール１７２は、液晶モジュール１０４上に生成された各スプラッシュ画面の輝度レベルを測定するようにセンサシステム１０２に命令するために、センサ・アプリケーションプログラミングインタフェース１７４を通じて制御情報をセンサドライバモジュール１７６へ送る。センサシステム１０２は、搭載ファームウエアの助けを借り、液晶モジュール１０４からシリアルインタフェース１７８、Ｉ２Ｃインタフェース１８０、及び、ＵＳＢインタフェース１８２のいずれかを通じて、グレースケール・スプラッシュ画面の輝度レベルを較正ソフトウエアモジュール１７２へ送信する。較正セッションの診断部分が完了した状態で、較正ソフトウエアモジュール１７２は、液晶モジュール１０４の背面光に対する適切な白バランスと輝度レベルとを設定するために、ビデオケーブル１８３のＩ２Ｃインタフェース部分１８０上において平面パネルモニタ１０８内にある背面光ドライバ１７７に、背面光アプリケーションプログラミングインタフェース１７５を通じてグラフィックス装置１３４からの制御情報を供給する。この較正作動から得られたＲＧＢ色度情報は、次に、平面パネルモニタ１０８に対するルックアップテーブル内にロードするための適切なガンマ値を計算するために使用することができる。輝度、白バランス、及び、ガンマ情報の全てはまた、「アドービ・フォトショップ」を用いて「国際色彩コンソーシアム（ＩＣＣ）」モニタプロフィールとして記憶し、電子的に他のモニタと通信して、マスター／スレーブ関係でそれらのモニタを較正するためにも同様に使用可能である。この実施形態は、各カード販売業者に依存して特定の機能を可能にすることなく、又は、ユーザが難しいＯＳＤの問題に直面することなく、多様なビデオカード上で特定の種類の平面パネルの差別化された機能を利用可能にするためのものである。このソフトウエアはまた、一貫したユーザ体験を提供し、時と共に一層多くの機能の追加を容易にするであろう。
【００２０】
センサシステム１０２は、絶対輝度センサとして機能するために、公知のトランスファー規格を使用して較正される。公知のトランスファー規格の一例としては、「ミノルタ・ＣＳ−１００比色計」がある。「カラートロンスポットライト精密光テーブル」を備えた輝度調節可能な平面パネルディスプレイもまた、この処理において光源とし使用される。「ＣＳ−１００比色計」の輝度応答は、製造業者により標準ランプに対して設定されており、その色度座標は、日本通商産業省の電子技術総合研究所により較正された３１１１°Ｋにおけるスペクトル放射標準ランプを使用して調節してある。好ましい実施形態において、ディスプレイは、照明のために赤と青のランプ対を使用する。各ランプの対の光強度は、ディスプレイの色温度と輝度とを設定するために変えることができる。ディスプレイに対する較正された目標輝度は、２００カンデラ／ｍ２であり、目標色温度は、「昼光」白色で修正された黒体温度のＤ５５である。色温度目標を達成するよりも輝度目標を達成する方が好ましい。
【００２１】
適切な目標を達成した後、緑信号だけが光検出器２１０に当てられるように赤信号と青信号とはゼロに設定される。フィルタ回路３０２内のポテンショメータＰ１は，アナログ／デジタル変換器３２０から計数値２３５を得るように調節される。増幅器３１０が飽和状態にあることを確認するために、その出力における電圧が検査される。飽和確認のために計数の読みが１１７又は１１８まで低下しているか否かを判断するために、光検出器２１０の前方に０．３中立密度が置かれる。信号が低下しない場合には、過度に多くの光が光検出器２１０に当っているので、中立密度の濾波が増大されるべきである。濾波の増大が必要な場合には、以前に選択された全ての試行サンプルが再較正される。次に、赤及び青画面に対する計数値が検査され、計数値が２４０を超える場合には、赤及び青のスペクトル領域においてスペクトル濾波が低減される。計数値が１２８よりも下に低下した場合には、適切な領域においてスペクトル濾波が増大される。感度が適切な作動領域に設定された状態で、センサシステム１０２は、その一般作動準備が整ったことになる。
【００２２】
ホストコンピュータ１０６における較正ソフトウエアモジュール１７２と共に、較正ソフトウエアモジュール１７２は、その輝度、色温度、及び、ガンマプロフィールを設定することにより、液晶モジュール１０４を較正するために作動可能である。較正ソフトウエアモジュール１７２の役目は、ランプが駆動信号を直線的に追跡しないマイクロコントローラ１４０により測定された輝度に応答して、スペクトル非選択的光検出器２１０のみを使用することにより、平面パネル液晶モジュール１０４の色温度を判断することである。較正ソフトウエアモジュール１７２は、液晶モジュール１０４のガンマ又は輝度応答を測定して、色コード化のために「国際色マイクロコード規格」により使用される「国際色彩コンソーシアム（ＩＣＣ）プロフィール内に情報を記憶することができる。ランプドライバは非線形であるので、システムの初期状態は未知である。較正ソフトウエアモジュール１７２は、色混合法則を使用し、光源対１及び光源対２の赤、緑、及び、青チャンネルの相対的貢献度の判断を可能にするために、相対的色ベクトルに対する色度座標への変換をもたらす。赤、緑、及び、青色フィルタにより作り出された三刺激値は安定である。従って、液晶モジュール１０４の個々のフィルタの比色分析出力を判断することができる。
【００２３】
初期状態と信号の線形性（交流（ＡＣ）ランプインバータ電源からの）とは、次のようにして判断することができる。第１に、両光源１及び２の照明レベルが最低に設定され、その信号レベルが記録される。第２に、光源１からの照明出力が最低から最高まで４段階で増大され、それらの信号レベルが記録される。次に、光源２からの照明出力が、最低から最高まで４段階で増大され、それらの信号レベルが記録される。最後に、これらの信号の差を使用して２つの光源の出力を入力信号の関数としてマップすることができる。開始の三刺激値から、照明光源の初期状態と差動状態とを判断することができる。付録Ａは、較正判断の一例を示す。マイクロコントローラ１４０と共にホストコンピュータ１０６の較正ソフトウエアモジュール１７２がこの判断を為した状態で、較正ソフトウエアモジュール１７２は、液晶モジュール１０４の輝度と色温度とを設定することができる。必要な相関色温度が与えられると、各照明光源が比色分析の既知の割合だけ色混合に貢献するという事実に基づいて、その点に対する色度座標、及び、所要の輝度に対して必要なランプ駆動電圧を判断することができる。更に、ホストコンピュータ１０６内のグラフィックスカード１１６を迂回し、ＯＳＤ盤１２６と手動的に対話することによりマイクロコントローラ１４０に直接アクセスすることによって、ディスプレイの比色分析設定に対する調節を行うことができる。好ましい実施形態においては、ユーザは、ＧＵＩ１７０により、較正ソフトウエアモジュール１７２に入力を供給し、マイクロコントローラ１４０から出力を受信することができる。ユーザが液晶モジュール１０４に対して「国際色彩コンソーシアム（ＩＣＣ）」プロフィールを発生させ、比色分析値を事前設定し、カスタムユーザ設定値を作成して記憶することを可能にするために、較正ソフトウエアモジュール１７２はまた、ＧＵＩ１７０により情報を提供するべきである。較正ソフトウエアモジュール１７２はまた、±２％で相関色温度を計算して輝度を記録することができる。較正ソフトウエアモジュール１７２は、改善された安定性を得るために数サイクルに亘って積算する。
【００２４】
センサシステム１０２は、標準信号を緑スペクトル領域における液晶モジュール１０４の輝度と直線的に相関させる適切な比色分析特性をもたらすスペクトルフィルタ素子を備えた光路を有する。この相関関係から、他のチャンネルとの関係を確立することができる。スペクトル非選択的光検出器を使用して、液晶モジュール１０４内の原色フィルタの色度を、それらの輝度を測定することにより判断することができる。更に、白点を較正することにより、全てのグレースケール点及びＲＧＢ原色も同じく一致させられる。背面光は、液晶モジュール１０４内の全ての色に共通であって、全範囲内で公知の安定した仕方で変化するので、１つの原色の設定は、他の全てを効果的に設定することになる。従って、白色に対してガンマ応答曲線を設定することは、ＲＧＢ色チャンネルに対してガンマ値を設定することにもなる。同様に、ＲＧＢ色チャンネルに対してガンマ応答曲線を設定することは、白色の全てのグレースケールレベルに対してガンマ値を設定することにもなる。ＣＲＴ装置にとっては、１つの原色の設定は他の原色からの相互作用により影響され得るので、異なる原色は、異なるガンマ補正を必要とするであろう。
【００２５】
図５Ａ〜５Ｈは、グラフィカルユーザインタフェース１７０により提供される画面表示を示している。図５Ａは、事前設定較正ウインドウを示す。図５Ｂは、特性検出メニューを示す。図５Ｃは、ユーザが特定の色温度、輝度、及び、ガンマ値を設定することができるカスタマイズされた設定ウインドウを示す。図５Ｄは、カスタム設定を保管するためのウインドウを示す。図５Ｅは、液晶モジュール１０４の較正が開始される較正表示ウインドウを示す。図５Ｆは、較正中に使用される赤、緑、及び、青のスプラッシュ画面ウインドウを示す。図５Ｇは、較正完了ウインドウを示す。図５Ｈは、設定ウインドウを示す。
【００２６】
センサシステム１０２はまた、液晶モジュール１０４の表面から反射される不要な光に対して画面上の画像を補正するために使用することができる。センサシステム１０２内でスペクトル非選択的光検出器２１０と色フィルタ２１６とを非接触モードで使用することにより、液晶モジュール１０４のガンマ設定に対する定量的修正係数が得られ、相対的な周囲視聴条件にもかかわらず２つ又はそれ以上の空間的に分離されたモニタ上の画像外観を維持することができる。
【００２７】
周囲条件において作動する液晶モジュール１０４は、環境内の外部光によりある程度の影響を被る。この外部輝度は、それが液晶モジュール１０４の表面に当り、次に画像（又は、テキストでさえも）の比色分析の彩度低下を引き起こすと共にその鮮明度に悪影響を及ぼす時に、迷反射を生じる可能性がある。これらの迷反射は、液晶モジュール１０４のガンマプロフィールを低下させるおそれがある。センサシステム１０２は、それが液晶モジュール１０４の表面の上方約２０インチに保持されている時、液晶モジュール１０４からの周囲光を測定し、元の画像の彩度及び色調が維持されるように液晶モジュール１０４のガンマ応答曲線を適切に変更することにより、周囲光を補正することができる。較正ソフトウエアモジュール１７２は、伝達関数補正値として二次ガンマ曲線を適用することにより、この補正を行なうことになる。例えば、ガンマ曲線は、周囲条件が明るい場合には増大されることになる。別の好ましい実施形態においては、液晶モジュール１０４を駆動するバイアス電圧を直接調節することにより、ガンマ補正を達成することができる。ベイリンググレアによる彩度低下は、液晶モジュール１０４から反射された輝度のマグニチュードにより引き起こされるので、デュアルスペクトルランプの白点設定は影響を受けないことになる。センサシステム１０２は、液晶モジュール１０４を見ている人に到達する全ての反射室内光を積算するので、ベイリンググレアの問題に対する一次補正値が得られる。これに加えて、光検出器の応答性を均一化するためにフィルタを設計する過程で、ベイリンググレア調節の制度に影響を及ぼすであろう赤外線エネルギの大部分は排除される。これらの全ては、単一の非スペクトル選択的光検出器２１０を用いて達成される。
【００２８】
ビデオ又は静止の画像又は場面は、作成、編集、及び、記憶され、次いで写真監督、作家、又は、編集者がそれらに付与した色調、彩度、及び、色温度の値に従って媒体に呈示される。それらがそのように転写及び／又は複写されると、コンテントの個々の部分に対する上記で特定した特性に対する更なる変更は、全てのコンテントに対するそれらの特性を変えることなしには不可能である。デュアル又はマルチスペクトル光源を用いて電子媒体又はフィルム媒体の色温度の動的制御を使用することにより、あらゆるビデオ画像又は静止画像の視聴体験を強化することができる。コンテントの作家又は編集者は、デジタルビデオ（ＤＶ）、高精細度テレビ（ＨＤＴＶ）、「ｅＣｉｎｅｍａ」、及び、デジタルビデオディスク（ＤＶＤ）のような視覚的デジタル媒体と、「ＱｕｉｃｋＴｉｍｅ」、ＡＶＩ、「ＲｅａｌＶｉｄｅｏ］、又は、他のフォーマットに記憶されたビデオとに同期させて、色温度値の個別トラックを記憶することができる。この強化方法はまた、「フラッシュ」のようなベクトルアニメーション、「Ｍｉｃｒｏｓｏｆｔ  ＰｏｗｅｒＰｏｉｎｔ」のようなプレゼンテーションソフトウエア、スライドショーソフトウエア、ウェブページ中の「ＪＰＥＧ」又は「ＧＩＦ」画像のようなタグ付き静止画像ファイル、「ＰｈｏｔｏＣＤ」、「ＴＩＦＦ」、「ＰｈｏｔｏＳｈｏｐ」、及び、他のフォーマットを含む、他の形式において好ましく機能することが予見される。
【００２９】
呈示されている視覚コンテント内の適切な場面又は画像に同期された異なる色温度値は、所定の記憶媒体内のトラック又は他の適当なメモリ位置で符号化されてもよい。較正ソフトウエアモジュール１７２は、液晶モジュール１０４を制御して、符号化された色温度値をビデオ信号ケーブル（ＤＤＣ）、シリアルインタフェース、ユニバーサルシリアルバス（ＵＳＢ）インタフェース、又は、他の適当なインタフェースプロトコルを通じて送信するように作動可能である。この情報は、次に、ビデオ信号ケーブル（ＤＤＣ）、シリアル、ＵＳＢ、又は、他の制御機構を通じて三刺激画像データと独立に色温度を制御させることができる、液晶モジュール１０４内にある画像ドライバにより検出することができる。所定の画像の、その画像を記述するデータ本体内での作成又は印刷に関する重要な色較正パラメータを符号化するいくつかの規格が創出されている。しかし、平面パネル色較正システム１００は、液晶モジュール１０４の色温度を動的な方法で調節することができる、調節可能色温度データを有する背面照明液晶モジュール１０４を含む。較正ソフトウエアモジュール１７２は、再生環境及び作成環境の両方に対して表示された画像の異なるフレームの色温度の動的調節をもたらすことができる。更に、「ＴＩＦＦ」、「ＱｕｉｃｋＴｉｍｅ」、及び、その他のような標準ファイル形式は、色温度データ情報を含むように拡張することができる。
【００３０】
色温度の動的調節に加えて、液晶モジュール１０４の輝度も表示中の静止画像又はビデオ画像コンテントに同期させることが可能であるということに注意するべきである。一実施形態においては、動的輝度レベルの算術平均を計算するために、１つ又は一連のフレームのグレースケールコンテントを試験するように較正ソフトウエアモジュール１７２に命令することができる。所定の一組のパラメータからの命令に作用して、一列に並んだランプ光源１及び２に印加する電圧レベルを制御することにより液晶モジュール１０４のための適切輝度レベルを動的に設定するために、較正ソフトウエアモジュール１７２は、グラフィックスカード１３４からの制御情報を背面光適用プログラミングインタフェース１７５を通じて、背面光ドライバ１７７へ送信することができる。別の実施形態においては、この情報は、ビデオコンテント再生中にアクセスするために、別の情報トラック上に予め記録しておいてもよい。
【００３１】
白バランス及び輝度の動的調節と併せて、ホストコンピュータ１０６又はグラフィックスカード１３４内のルックアップテーブル記憶位置に含まれたパラメータのような所定の一組のパラメータに従って、元のビデオ画像のガンマプロフィールを動的に調節するように較正ソフトウエアモジュール１７２に命令することもまた可能であるということにも注意するべきである。同じ輝度レベルが維持されるように、液晶モジュール１０４の背面光の明るさレベルを低下させ、同時にガンマ機能を減少させることにより、静止画像又はビデオ画像から一層大きな色彩視覚効果を実現することができる。別の実施形態においては、ガンマにおける変化は、液晶モジュール１０４の直流基準回路に一組のガンマ制御電圧を動的に印加して調節し、そのガンマ応答プロフィールを変えることにより、グレースケール解像度の損失なしに達成することができる。入力ビデオ信号は影響を受けないので、同じ色解像度とダイナミックレンジとが維持される。
【００３２】
平面パネル較正システム１００は、ディスプレイ装置を較正し、その使用寿命を伸ばす低コストで高性能な能力を提供する。ディスプレイ装置を公知の規格に合わせて調節できることにより、コンテント作成者、写真監督、及び、印刷者／出版者は、広範な校正作業を大きな距離に亘って数分で効果的に完了することができる。ＤＶＤプレーヤーの色温度及びガンマ・サビー・バージョン、及び、他のソフトウエアアプリケーションもまた開発して適合させることができる。本センサシステムは、調節可能な白バランス及び適応ガンマ技術の長所を利用しているが、それは、標準的なＬＣＤ装置及びＣＲＴ装置の両方に対しても等しく利用することができる。
すなわち、上述の利点を備えた小型平面パネル色較正システムが本発明によって提供されることが明らかである。本発明を詳細に説明してきたが、様々な変形、置換、及び、代替形態は、当業者によって容易に確かめられ、それらを特許請求の範囲で規定された本発明の精神及び範囲から逸脱することなく実行し得ることを理解すべきである。
【００３３】
付録Ａ
センサ較正アルゴリズム
［１］青ランプを消灯した状態で赤ランプを点灯し、Ｒ１，Ｂ１、Ｇ１を記録する。
［２］赤ランプを消灯した状態で青ランプを点灯し、Ｒ２，Ｂ２、Ｇ２を記録する。
［３］各ランプに対する色座標を定義する。
Ｄ１＝１２８［（Ｒ１−Ｂ１）／（Ｒ１＋Ｇ１＋Ｂ１）］
Ｄ２＝１２８［（Ｒ２−Ｂ２）／（Ｒ２＋Ｇ２＋Ｂ２）］
［４］赤ランプの色温度はＴ１である。
青ランプの色温度はＴ２である。
［５］任意の色温度Ｔに対するＤ（任意の色座標）に対する目標値は、Γを勾配、及び、ａを定数とすると以下で与えられる。
Ｄ＝Γ／Ｔ＋ａ
［６］Γ＝Ｔ１Ｔ２［（Ｄ１−Ｄ２）／Ｔ２−Ｔ１］
［７］ａ＝（Ｄ２Ｔ２−Ｄ１Ｔ１）／（Ｔ２−Ｔ１）
【００３４】
色温度及び画面輝度の設定
仮定：緑の輝度値は画面輝度の一次関数である。
［１］Ｔに対する目標とする値から目標値Ｄ及びＤＴは、以下により計算することができる。
Ｄ＝Γ／Ｔ
［２］画面輝度に対する目標値ＧＴを選択する。
［３］両ランプをそれらのそれぞれの範囲の中心に設定するか、又は、較正が実行されたばかりである場合、最後の輝度状態に設定する。
初期状態ＲＩ、ＧＩ、ＢＩ、赤ドライブＳＲＩ＋青ドライブＳＢＩを測定する。
［４］赤ランプを区分的に減光し、ＳＲＩ−１０に対するＲＪ、ＧＪ、ＢＪを測定する。
［５］赤設定を元の値に戻して青ランプを区分的に減光し、ＳＢＩ−１０に対するＲＫ、ＧＫ、ＢＫを測定する。
［６］ＧＩ、ＧＪ、ＧＫ、ＤＩ、ＤＪ、ＤＫを計算して下記の導関数を形成する。
ΔＤＫ＝（ＤＩ＝ＤＪ）１０  微分  Ｄｗ／ｒＲｅｄ
ΔＤＢ＝（ＤＩ＝ＤＫ）１０  微分  Ｄｗ／ｒＢｌｕｅ
ΔＧＲ＝（ＧＩ＝ＧＪ）１０  微分  Ｇｗ／ｒＲｅｄ
ΔＧＢ＝（ＧＩ＝ＧＫ）１０  微分  Ｇｗ／ｒＢｌｕｅ
［７］システムが線形であると仮定すると、
ＤＴ＝ＤＩ＋ΔＤＲ・ΔＲ＋ΔＤＢ・ΔＢ
ＧＴ＝ＧＩ＋ΔＧＲ・ΔＲ＋ΔＧＢ・ΔＢ
及び
2004521531.tif 000002
変更されるべき赤ランプ及び青ランプの量であるΔＲ及びΔＢについて解くと、初期状態に対する新たな開始値は、以下のようになる。
ＳＲＩＮｅｗ＝ＳＲＩＯＬＤ＋ΔＲ
ＳＢＩＮｅｗ＝ＳＢＩＯＬＤ＋ΔＲ
状態が以下のようになるまで反復する。
ＤＴ＝ＤＩ＝０、及び、ＧＴ−ＧＩ＝０
【図面の簡単な説明】
【図１】
小型平面パネル色較正システムの環境の単純化した図である。
【図２】
本発明の一実施形態による色較正センサの組立図である。
【図３】
色較正センサシステムの電子フィルタに対する回路の概略図である。
【図４】
色較正センサと相互作用するソフトウエアモジュールの単純化した図である。
【図５Ａ】
ソフトウエアモジュールにより提供される画面表示を示す図である。
【図５Ｂ】
ソフトウエアモジュールにより提供される画面表示を示す図である。
【図５Ｃ】
ソフトウエアモジュールにより提供される画面表示を示す図である。
【図５Ｄ】
ソフトウエアモジュールにより提供される画面表示を示す図である。
【図５Ｅ】
ソフトウエアモジュールにより提供される画面表示を示す図である。
【図５Ｆ】
ソフトウエアモジュールにより提供される画面表示を示す図である。
【図５Ｇ】
ソフトウエアモジュールにより提供される画面表示を示す図である。
【図５Ｈ】
ソフトウエアモジュールにより提供される画面表示を示す図である。
【図１】
2004521531.tif 000003
【図４】
2004521531.tif 000004
【国際公開パンフレット】
2004521531.tif 000005
2004521531.tif 000006
2004521531.tif 000007
2004521531.tif 000008
2004521531.tif 000009
2004521531.tif 000010
2004521531.tif 000011
2004521531.tif 000012
2004521531.tif 000013
2004521531.tif 000014
2004521531.tif 000015
2004521531.tif 000016
2004521531.tif 000017
2004521531.tif 000018
2004521531.tif 000019
2004521531.tif 000020
2004521531.tif 000021
2004521531.tif 000022
2004521531.tif 000023
2004521531.tif 000024
2004521531.tif 000025
2004521531.tif 000026
2004521531.tif 000027
2004521531.tif 000028
2004521531.tif 000029
2004521531.tif 000030
2004521531.tif 000031
2004521531.tif 000032
2004521531.tif 000033
2004521531.tif 000034
2004521531.tif 000035
2004521531.tif 000036
2004521531.tif 000037
2004521531.tif 000038
2004521531.tif 000039
2004521531.tif 000040
2004521531.tif 000041
2004521531.tif 000042
【国際公開パンフレット（コレクトバージョン）】
2004521531.tif 000043
【国際調査報告】
2004521531.tif 000044
2004521531.tif 000045
2004521531.tif 000046